(57)【要約】  ワイヤレス通信システムにおいて共通基準シグナリングをサポートするための方法、システム、およびデバイスについて説明する。いくつかの構成は、異なるサブフレーム上の共通基準信号（ＣＲＳ）送信間の位相不連続性を導入する。これは、低減されたＣＲＳ周期性が利用されるときに起こり得る問題に対処し得る。位相連続性が仮定され得るか否かを示すためにインジケータも基地局からユーザ機器（ＵＥ）に送信され得る。いくつかの構成はＣＲＳシーケンス初期化をサポートし得る。これらのツールおよび技法は、セルによって送信されるＣＲＳシーケンスの数を増加させ得る、拡張されたＣＲＳシーケンス周期性を利用し得る。
2016506216.tif 000002
【特許請求の範囲】
【請求項１】
第１の共通基準信号（ＣＲＳ）送信と第２のＣＲＳ送信との間で位相連続性が仮定され得ないと決定することと、
前記位相連続性を維持することなしに前記第１のＣＲＳ送信と前記第２のＣＲＳ送信とを受信することと
を備える、ワイヤレス通信システムにおいて共通基準信号を受信するための方法。
【請求項２】
前記第１のＣＲＳ送信と前記第２のＣＲＳ送信との間で前記位相連続性が仮定され得ないと決定することは、
前記位相連続性が仮定され得ないというインジケータを受信すること
を備える、請求項１に記載の方法。
【請求項３】
前記インジケータは、前記第１のＣＲＳ送信と前記第２のＣＲＳ送信とが受信される前に受信される、請求項２に記載の方法。
【請求項４】
連続ＣＲＳ位相を使用する第３のＣＲＳ送信と第４のＣＲＳ送信とを受信することと、
前記位相連続性が仮定され得るというインジケータを受信することと
をさらに備える、請求項１に記載の方法。
【請求項５】
前記第３のＣＲＳ送信と前記第４のＣＲＳ送信とがコヒーレントに結合され得るというインジケータを受信すること
をさらに備える、請求項４に記載の方法。
【請求項６】
前記第１のＣＲＳ送信と前記第２のＣＲＳ送信とが第１のフレーム内で生じる、請求項１に記載の方法。
【請求項７】
前記第１のＣＲＳ送信と前記第２のＣＲＳ送信との間で前記位相連続性が仮定され得ないと決定することは、
第１のフレームと第２のフレームとの間で位相不連続性が使用されると決定すること
を備える、請求項１に記載の方法。
【請求項８】
前記位相不連続性が位相ランプアップを備える、請求項７に記載の方法。
【請求項９】
前記位相不連続性が、時間においてまたは周波数においてＣＲＳ位相を変化させるサイクル遅延ダイバーシティ（ＣＤＤ）を備える、請求項７に記載の方法。
【請求項１０】
前記ワイヤレス通信システムが、前記第１のＣＲＳ送信と前記第２のＣＲＳ送信とに関してニューキャリアタイプ（ＮＣＴ）を使用する、請求項１に記載の方法。
【請求項１１】
第１の共通基準信号（ＣＲＳ）送信と第２のＣＲＳ送信との間で位相連続性が仮定され得ないと決定するための手段と、
前記位相連続性を維持することなしに前記第１のＣＲＳ送信と前記第２のＣＲＳ送信とを受信するための手段と
を備える共通基準信号を受信するためのシステム。
【請求項１２】
前記第１のＣＲＳ送信と前記第２のＣＲＳ送信との間で前記位相連続性が仮定され得ないと決定するための前記手段は、
前記位相連続性が仮定され得ないというインジケータを受信するための手段
を備える、請求項１１に記載のシステム。
【請求項１３】
連続ＣＲＳ位相を使用する第３のＣＲＳ送信と第４のＣＲＳ送信とを受信するための手段と、
前記位相連続性が仮定され得るというインジケータを受信するための手段と
をさらに備える、請求項１１に記載のシステム。
【請求項１４】
前記第３のＣＲＳ送信と前記第４のＣＲＳ送信とがコヒーレントに結合され得るというインジケータを受信するための手段
をさらに備える、請求項１３に記載のシステム。
【請求項１５】
前記第１のＣＲＳ送信と前記第２のＣＲＳ送信とが第１のフレーム内で生じる、請求項１１に記載のシステム。
【請求項１６】
前記第１のＣＲＳ送信と前記第２のＣＲＳ送信との間で前記位相連続性が仮定され得ないと決定するための前記手段は、
第１のフレームと第２のフレームとの間で位相不連続性が使用されると決定するための手段
を備える、請求項１１に記載のシステム。
【請求項１７】
前記位相不連続性が位相ランプアップを備える、請求項１６に記載のシステム。
【請求項１８】
前記位相不連続性が、時間においてまたは周波数においてＣＲＳ位相を変化させるサイクル遅延ダイバーシティ（ＣＤＤ）を備える、請求項１６に記載のシステム。
【請求項１９】
前記システムが、前記第１のＣＲＳ送信と前記第２のＣＲＳ送信とに関してニューキャリアタイプ（ＮＣＴ）を使用する、請求項１１に記載のシステム。
【請求項２０】
第１の共通基準信号（ＣＲＳ）送信と第２のＣＲＳ送信との間で位相連続性が仮定され得ないと決定し、
前記位相連続性を維持することなしに前記第１のＣＲＳ送信と前記第２のＣＲＳ送信とを受信する
ように構成されたプロセッサ
を備えるワイヤレス通信デバイス。
【請求項２１】
前記プロセッサは、
前記位相連続性が仮定され得ないというインジケータを受信する
ように構成された、請求項２０に記載のデバイス。
【請求項２２】
前記プロセッサは、
連続ＣＲＳ位相を使用する第３のＣＲＳ送信と第４のＣＲＳ送信とを受信し、
前記位相連続性が仮定され得るというインジケータを受信するように構成された、請求項２０に記載のデバイス。
【請求項２３】
前記プロセッサは、
前記第３のＣＲＳ送信と前記第４のＣＲＳ送信とがコヒーレントに結合され得るというインジケータを受信する
ように構成された、請求項２２に記載のデバイス。
【請求項２４】
前記第１のＣＲＳ送信と前記第２のＣＲＳ送信とが第１のフレーム内で生じる、請求項２０に記載のデバイス。
【請求項２５】
前記プロセッサは、
第１のフレームと第２のフレームとの間で位相不連続性が使用されると決定する
ように構成された、請求項２０に記載のデバイス。
【請求項２６】
前記位相不連続性が位相ランプアップを備える、請求項２５に記載のデバイス。
【請求項２７】
第１の共通基準信号（ＣＲＳ）送信と第２のＣＲＳ送信との間で位相連続性が仮定され得ないと決定するためのコードと、
前記位相連続性を維持することなしに前記第１のＣＲＳ送信と前記第２のＣＲＳ送信とを受信するためのコードと
を備える非一時的コンピュータ可読媒体
を備えるワイヤレス通信システムのためのコンピュータプログラム製品。
【請求項２８】
前記非一時的コンピュータ可読媒体は、
前記位相連続性が仮定され得ないというインジケータを受信するためのコード
をさらに備える、請求項２７に記載のコンピュータプログラム製品。
【請求項２９】
前記非一時的コンピュータ可読媒体は、
連続ＣＲＳ位相を使用する第３のＣＲＳ送信と第４のＣＲＳ送信とを受信するためのコードと、
前記位相連続性が仮定され得るというインジケータを受信するためのコードと
をさらに備える、請求項２７に記載のコンピュータプログラム製品。
【請求項３０】
前記非一時的コンピュータ可読媒体は、
前記第３のＣＲＳ送信と前記第４のＣＲＳ送信とがコヒーレントに結合され得るというインジケータを受信するためのコード
をさらに備える、請求項２９に記載のコンピュータプログラム製品。
【発明の詳細な説明】
【技術分野】
【０００１】
相互参照
[0001]本特許出願は、本出願の譲受人に譲渡された、Ｄａｍｎｊａｎｏｖｉｃらによる２０１４年１月２３日に出願された「Ｃｏｍｍｏｎ  Ｒｅｆｅｒｅｎｃｅ  Ｓｉｇｎａｌ  Ｐｈａｓｅ  Ｄｉｓｃｏｎｔｉｎｕｉｔｙ  ａｎｄ  Ｓｅｑｕｅｎｃｅ  Ｉｎｉｔｉａｌｉｚａｔｉｏｎ」と題する米国特許出願第１４／１６２，４８４号、およびＤａｍｎｊａｎｏｖｉｃらによる２０１３年１月２５日に出願された「Ｍｅｔｈｏｄｓ，  Ｓｙｓｔｅｍｓ，  ａｎｄ  Ｄｅｖｉｃｅｓ  ｆｏｒ  Ｃｏｍｍｏｎ  Ｒｅｆｅｒｅｎｃｅ  Ｓｉｇｎａｌ  Ｐｈａｓｅ  Ｄｉｓｃｏｎｔｉｎｕｉｔｙ  ａｎｄ  Ｓｅｑｕｅｎｃｅ  Ｉｎｉｔｉａｌｉｚａｔｉｏｎ」と題する米国仮特許出願第６１／７５７，００８号の優先権を主張する。
【背景技術】
【０００２】
[0002]以下は、一般にワイヤレス通信に関し、より詳細には、ワイヤレス通信システムのためにワイヤレスチャネルのための共通基準信号を利用するシステム、デバイス、および方法に関する。ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００３】
[0003]概して、ワイヤレス多元接続通信システムは、各々が複数のモバイルデバイスのための通信を同時にサポートする、いくつかの基地局を含み得る。基地局は、ダウンストリームリンクおよびアップストリームリンク上でモバイルデバイスと通信し得る。基地局は、特定の周期でモバイルデバイスに共通基準信号を送信し得る。共通基準信号の周期性（a common reference signal periodicity）が低減されたとき、様々な問題が起こり得る。
【発明の概要】
【０００４】
[0004]説明する特徴は、概して、ワイヤレス通信システムにおいて共通基準シグナリングをサポートするための１つまたは複数の方法、システム、およびデバイスに関する。たとえば、いくつかの構成では、異なるサブフレーム上の複数の共通基準信号（ＣＲＳ）送信（common reference signal (CRS) transmissions）の間の位相不連続性（a phase discontinuity）が導入され得る。これは、低減されたＣＲＳ周期性が利用され得るときに起こり得る問題に対処し得る。位相連続性（phase continuity）が仮定され得るか否かを示すためにインジケータも基地局からユーザ機器（ＵＥ）に送信され得る。いくつかの構成はＣＲＳシーケンス初期化（CRS sequence initialization）をサポートし得る。これらのツールおよび技法は、セルによって送信されるＣＲＳシーケンスの数を増加させ得る、拡張されたＣＲＳシーケンス周期性（extended CRS sequence periodicity）を利用し得る。
【０００５】
[0005]これらのツールおよび技法は異なるワイヤレス通信システムへの一般的な適用可能性を有し得るが、開示される方法、システム、およびデバイスは、特にニューキャリアタイプ（ＮＣＴ：New Carrier Type）とともに利用され得る。たとえば、ＮＣＴは、単一のアンテナポート上で５ｍｓごとに１つのサブフレームに低減されたＣＲＳ周期性を利用し得る。その結果、単一の仮想アンテナポート上の複数の物理アンテナポートからの送信は受信信号ヌル（received signal nulls）を生じ得、ＣＲＳカバレージホール（CRS coverage holes）を生じ得る。高モビリティユーザ機器（ＵＥ）などでは、場合によっては、異なるサブフレームにわたるコヒーレント結合（coherent combining）も有用でないことがある。異なるサブフレーム上の複数のＣＲＳ送信間の位相不連続性の使用、および／またはＣＲＳシーケンス初期化のためにＣＲＳシーケンス周期性を拡張することが、これらの問題に対処し得る。
【０００６】
[0006]いくつかの実施形態では、ワイヤレス通信システムにおいて共通基準信号を受信するための方法が提供される。本方法は、第１の共通基準信号（ＣＲＳ）送信と第２のＣＲＳ送信との間で位相連続性が仮定され得ないと決定すること、および／または位相連続性を維持することなしに第１のＣＲＳ送信と第２のＣＲＳ送信とを受信することを含み得る。
【０００７】
[0007]第１のＣＲＳ送信と第２のＣＲＳ送信との間で位相連続性が仮定され得ないと決定することは、位相連続性が仮定され得ないことを示すインジケータを受信することを含み得る。インジケータは、第１のＣＲＳ送信と第２のＣＲＳ送信とが受信される前に受信され得る。いくつかの構成は、連続ＣＲＳ位相（a continuous CRS phase）を使用する第３のＣＲＳ送信と第４のＣＲＳ送信とを受信すること、および／または位相連続性が仮定され得るというインジケータを受信することを含む。いくつかの状況では、第３のＣＲＳ送信と第４のＣＲＳ送信とがコヒーレントに結合され（coherently combined）得るというインジケータが受信され得る。
【０００８】
[0008]いくつかの構成では、第１のフレームと第２のフレームとの間で位相不連続性が生じ得る。他の例では、第１のＣＲＳ送信と第２のＣＲＳ送信との間で位相不連続性が仮定され得ないと決定することは、場合によっては第１のＣＲＳ送信と第２のＣＲＳ送信とが第１のフレーム内で生じると決定することを含み得る。位相不連続性は位相ランプアップ（a phase ramp up）を含み得、またはそれは、時間においてまたは周波数においてＣＲＳ位相を変化させるサイクル遅延ダイバーシティ（ＣＤＤ：cycle delay diversity）を含み得る。本方法は、場合によっては、第１のＣＲＳ送信と第２のＣＲＳ送信とに関してニューキャリアタイプ（ＮＣＴ）を使用するワイヤレス通信システムで実装され得る。
【０００９】
[0009]いくつかの実施形態では、共通基準信号を受信するためのシステムが提供される。本システムは、第１の共通基準信号（ＣＲＳ）送信と第２のＣＲＳ送信との間で位相連続性が使用されると仮定され得ないことを決定するための手段、および／または位相連続性を維持することなしに第１のＣＲＳ送信と第２のＣＲＳ送信とを受信するための手段を含み得る。
【００１０】
[0010]第１のＣＲＳ送信と第２のＣＲＳ送信との間で位相連続性が仮定され得ないと決定するための手段は、位相連続性が仮定され得ないことを示すインジケータを受信するための手段を含み得る。いくつかの構成では、本システムは、連続ＣＲＳ位相を使用する第３のＣＲＳ送信と第４のＣＲＳ送信とを受信するための手段、および／または位相連続性が仮定され得るというインジケータを受信するための手段を含み得る。本システムは、第３のＣＲＳ送信と第４のＣＲＳ送信とがコヒーレントに結合され得るというインジケータを受信するための手段を含み得る。
【００１１】
[0011]いくつかの構成では、第１のフレームと第２のフレームとの間で位相不連続性が生じ得る。いくつかの実施形態では、第１のＣＲＳ送信と第２のＣＲＳ送信との間で位相連続性が仮定され得ないと決定するための手段は、第１のＣＲＳ送信と第２のＣＲＳ送信とが第１のフレーム内で生じ得ると決定するための手段を含み得る。位相不連続性は位相ランプアップを含み得、またはそれは、時間においてまたは周波数においてＣＲＳ位相を変化させるサイクル遅延ダイバーシティ（ＣＤＤ）を含み得る。本システムは、第１のＣＲＳ送信と第２のＣＲＳ送信とに関してニューキャリアタイプ（ＮＣＴ）を使用し得る。
【００１２】
[0012]いくつかの実施形態では、第１の共通基準信号（ＣＲＳ）送信と第２のＣＲＳ送信との間で位相連続性が仮定され得ないと決定するためのコード、および／または位相連続性を維持することなしに第１のＣＲＳ送信と第２のＣＲＳ送信とを受信するためのコードを含み得る非一時的コンピュータ可読媒体を含み得るワイヤレス通信システムのためのコンピュータプログラム製品が提供される。
【００１３】
[0013]場合によっては、コンピュータプログラム製品は、位相連続性が仮定され得ないというインジケータを受信するためのコードを含む。コンピュータプログラム製品はまた、連続ＣＲＳ位相を使用する第３のＣＲＳ送信と第４のＣＲＳ送信とを受信するためのコードを含み得、それは、位相連続性が仮定され得るというインジケータを受信するためのコードを含み得る。またさらなる実施形態では、コンピュータプログラム製品は、第３のＣＲＳ送信と第４のＣＲＳ送信とがコヒーレントに結合され得るというインジケータを受信するためのコードを含み得る。
【００１４】
[0014]第１の共通基準信号（ＣＲＳ）送信と第２のＣＲＳ送信との間で位相連続性が仮定され得ないと決定し、および／または位相連続性を維持することなしに第１のＣＲＳ送信と第２のＣＲＳ送信とを受信するように構成され得るプロセッサを含み得るワイヤレス通信デバイスが提供される。
【００１５】
[0015]ワイヤレス通信デバイスのいくつかの実施形態では、プロセッサは、位相連続性が仮定され得ないというインジケータを受信するように構成される。追加または代替として、プロセッサは、連続ＣＲＳ位相を使用する第３のＣＲＳ送信と第４のＣＲＳ送信とを受信し、および／または位相連続性が仮定され得るというインジケータを受信するように構成され得る。場合によっては、プロセッサはさらに、第３のＣＲＳ送信と第４のＣＲＳ送信とがコヒーレントに結合され得るというインジケータを受信するように構成される。ワイヤレス通信デバイスのいくつかの実施形態では、第１のＣＲＳ送信と第２のＣＲＳ送信とは第１のフレーム内で生じる。
【００１６】
[0016]ワイヤレス通信デバイスのプロセッサは、第１のフレームと第２のフレームとの間で位相不連続性が使用されると決定するように構成され得る。いくつかの事例では、位相不連続性は位相ランプアップを含む。
【００１７】
[0017]説明する方法、システム、および／またはデバイスの適用性のさらなる範囲は、以下の詳細な説明、特許請求の範囲、および図面から明らかになろう。当業者には詳細な説明の趣旨および範囲内の様々な変更および改変が明らかになるので、詳細な説明および特定の例は例示として与えられるものにすぎない。
【００１８】
[0018]以下の図面を参照すれば、本開示の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００１９】
【図１】[0019]様々な実施形態によるワイヤレス通信システムのブロック図。
【図２】[0020]様々な実施形態に従って使用され得るシステムを示す図。
【図３】[0021]様々な実施形態による基地局とＵＥとをもつワイヤレス通信システムのブロック図。
【図４】[0022]様々な実施形態による基地局を示すブロック図。
【図５】[0023]様々な実施形態によるＵＥを示すブロック図。
【図６】[0024]様々な実施形態による基地局を示すブロック図。
【図７】[0025]様々な実施形態によるＵＥを示すブロック図。
【図８】[0026]様々な実施形態によるｅＮＢとＵＥとを含むＭＩＭＯ通信システムのブロック図。
【図９Ａ】[0027]様々な実施形態によるワイヤレス通信のための方法を示すフローチャート。
【図９Ｂ】[0028]様々な実施形態によるワイヤレス通信のための方法を示すフローチャート。
【図１０Ａ】[0029]様々な実施形態によるワイヤレス通信のための方法を示すフローチャート。
【図１０Ｂ】[0030]様々な実施形態によるワイヤレス通信のための方法を示すフローチャート。
【図１１Ａ】[0031]様々な実施形態によるワイヤレス通信のための方法を示すフローチャート。
【図１１Ｂ】[0032]様々な実施形態によるワイヤレス通信のための方法を示すフローチャート。
【図１１Ｃ】[0033]様々な実施形態によるワイヤレス通信のための方法を示すフローチャート。
【詳細な説明】
【００２０】
[0034]ワイヤレス通信システムにおいて共通基準シグナリングをサポートするための方法、システム、およびデバイスが提供される。たとえば、いくつかの構成では、異なるサブフレーム上の複数の共通基準信号（ＣＲＳ）送信の間に位相不連続性が導入され得る。これは、低減されたＣＲＳ周期性が利用され得るときに起こり得る問題に対処し得る。位相連続性が仮定され得るか否かを示すためにインジケータも基地局からユーザ機器（ＵＥ）に送信され得る。いくつかの構成はＣＲＳシーケンス初期化をサポートする。これらのツールおよび技法は、セルによって送信されるＣＲＳシーケンスの数を増加させ得る、拡張されたＣＲＳシーケンス周期性を利用し得る。
【００２１】
[0035]これらのツールおよび技法は様々なワイヤレス通信システムへの一般的な適用可能性を有し得るが、開示される方法、システム、およびデバイスは、特にニューキャリアタイプ（ＮＣＴ）とともに利用され得る。たとえば、ＮＣＴは、単一のアンテナポート上で５ｍｓごとに１つのサブフレームに低減されたＣＲＳ周期性を利用し得る。その結果、単一の仮想アンテナポート上の複数の物理アンテナポートからの送信は受信信号ヌルを生じ得、ＣＲＳカバレージホールを生じ得る。高モビリティユーザ機器（ＵＥ）などでは、場合によっては、異なるサブフレームにわたるコヒーレント結合も有用でないことがある。異なるサブフレーム上の複数のＣＲＳ送信間の位相不連続性の使用、および／またはＣＲＳシーケンス初期化のためにＣＲＳシーケンス周期性を拡張することが、これらの問題に対処し得る。
【００２２】
[0036]以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、様々なプロシージャまたは構成要素を適宜に省略、置換、または追加し得る。たとえば、説明される方法は、説明される順序とは異なる順序で実行され得、様々なステップが追加、省略、または組み合わせられ得る。また、いくつかの実施形態に関して説明される特徴は、他の実施形態において組み合わせられ得る。
【００２３】
[0037]最初に図１を参照すると、図に、ワイヤレス通信システム１００の一例が示されている。システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラの制御下で通信デバイス１１５と通信し得る。基地局１０５は、バックホールリンク１３２を介して制御情報および／またはユーザデータをコアネットワーク１３０と通信し得る。いくつかの実施形態では、基地局１０５は、ワイヤードまたはワイヤレス通信リンクであり得るバックホールリンク１３４を介して、直接的あるいは間接的に互いに通信し得る。システム１００は、複数のキャリア（異なる周波数の波形信号）上での動作をサポートし得る。マルチキャリア送信機は、複数のキャリア上で同時に変調された信号を送信し得る。たとえば、各通信リンク１２５は、様々な無線技術に従って変調されたマルチキャリア信号であり得る。各変調された信号は、異なるキャリア上で送られ得、制御情報（たとえば、基準信号、制御チャネルなど）、オーバーヘッド情報、データなどを搬送し得る。
【００２４】
[0038]基地局１０５は、１つまたは複数の基地局アンテナを介してデバイス１１５とワイヤレス通信し得る。基地局１０５サイトの各々は、それぞれの地理的エリア１１０に対する通信カバレージを与え得る。いくつかの実施形態では、基地局１０５は、トランシーバ基地局、無線基地局、アクセスポイント、無線トランシーバ、基本サービスセット（ＢＳＳ）、拡張サービスセット（ＥＳＳ）、ノードＢ、発展型ノードＢ（ｅノードＢまたはｅＮＢ）、ホームノードＢ、ホームｅノードＢ、あるいは何らかの他の好適な用語で呼ばれることがある。基地局のためのカバレージエリア１１０は、カバレージエリアの一部分のみを構成するセクタに分割され得る。システム１００は、異なるタイプの基地局１０５（たとえば、マクロ基地局、マイクロ基地局、および／またはピコ基地局）を含み得る。異なる技術のための重複するカバレージエリアがあり得る。
【００２５】
[0039]いくつかの実施形態では、システム１００はＬＴＥ／ＬＴＥ−Ａネットワークであり得る。ＬＴＥ／ＬＴＥ−Ａネットワークでは、発展型ノードＢ（ｅＮＢ）およびユーザ機器（ＵＥ）という用語は、概して、それぞれ基地局１０５およびデバイス１１５について説明するために使用され得る。システム１００は、異なるタイプのｅＮＢがその中で様々な地理的領域に対するカバレージを与える、異機種（Heterogeneous）ＬＴＥ／ＬＴＥ−Ａネットワークであり得る。たとえば、各ｅＮＢ１０５は、マクロセル、ピコセル、フェムトセル、および／または他のタイプのセルに対する通信カバレージを与え得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセス（unrestricted access）を可能にし得る。また、フェムトセルは、概して、比較的小さい地理的エリア（たとえば、自宅）をカバーすることになり、無制限アクセスに加えて、フェムトセルとの関連を有するＵＥ（たとえば、限定された加入者グループ（ＣＳＧ：closed subscriber group）中のＵＥ、自宅内のユーザのためのＵＥなど）による制限されたアクセス（restricted access）をも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。いくつかの構成では、ｅＮＢ１０５は、異なるサブフレーム上の複数のＣＲＳ送信間の位相不連続性を導入し得る。たとえば、ｅＮＢ１０５は、第１の共通基準信号（ＣＲＳ）送信と第２のＣＲＳ送信との間で使用する位相不連続性を決定し得る。ｅＮＢ１０５は、次いで、位相連続性を維持することなしに第１のＣＲＳ送信および第２のＣＲＳ送信などの複数の共通基準信号を送信し得る。これは、決定された位相不連続性を利用することを伴い得る。場合によっては、ｅＮＢ１０５は、ＣＲＳ送信に関してニューキャリアタイプ（ＮＣＴ）を利用し得る。
【００２６】
[0040]いくつかの構成では、ｅＮＢ１０５は、特定の形態のＣＲＳシーケンス初期化に関与し得る。たとえば、ｅＮＢ１０５は、識別された基準信号シーケンス周期に関して、拡張された共通基準信号シーケンス周期（an extended common reference signal sequence period）を決定し得る。一例では、ｅＮＢ１０５は、ＣＲＳシーケンス周期を１０ｍｓから、限定はしないが、４０ｍｓまたは５０ｍｓを含むより高い値に拡張し得る。これは、たとえば、ＮＣＴに有用であり得る。ｅＮＢ１０５は、拡張された共通基準信号シーケンス周期を様々な方法で利用し得る。
【００２７】
[0041]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を通して）、直接的または間接的に、互いに通信し得る。ワイヤレスシステム１００は同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作または非同期動作のいずれかのために使用され得る。
【００２８】
[0042]ＵＥ１１５は、ワイヤレスシステム１００全体にわたって分散され得、各ＵＥは固定または移動性であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。いくつかの構成では、ＵＥ１１５は、第１のＣＲＳ送信および第２のＣＲＳ送信など、複数の共通基準信号（ＣＲＳ）送信間で位相連続性が仮定され得ないと決定する。場合によっては、これは、位相不連続性が使用されるとＵＥ１１５において決定することを伴い得る。ＵＥ１１５は、位相連続性を維持することなしに、第１のＣＲＳ送信および第２のＣＲＳ送信など、複数のＣＲＳ送信を受信し得る。ＵＥ１１５は、いくつかの構成では、ＣＲＳ送信に関してニューキャリアタイプ（ＮＣＴ）を使用し得る。場合によっては、共通基準シグナリングはセル固有基準シグナリング（cell-specific reference signaling）と呼ばれることがある。
【００２９】
[0043]いくつかの構成では、ＵＥ１１５はＣＲＳシーケンス初期化に関して利用され得る。たとえば、ＵＥ１１５は、識別された基準信号シーケンス周期に関して、拡張された共通基準信号シーケンス周期を決定し得る。ＵＥ１１５は、拡張された共通基準信号シーケンス周期を様々な方法で利用し得る。ＵＥ１１５は、いくつかの構成では、ＣＲＳシーケンス初期化に関してニューキャリアタイプ（ＮＣＴ）を使用し得る。
【００３０】
[0044]ネットワーク１００中に示された送信リンク１２５は、モバイルデバイス１１５から基地局１０５へのアップリンク送信、および／または基地局１０５からモバイルデバイス１１５へのダウンリンク送信を含み得る。ダウンリンク送信は順方向リンク送信と呼ばれることもあり、アップリンク送信は逆方向リンク送信と呼ばれることもある。ワイヤレスシステム１００についてＬＴＥ／ＬＴＥアドバンストアーキテクチャに関して説明したが、本開示全体にわたって提示される様々な概念は他のタイプのワイヤレスネットワークに拡張され得ることを、当業者は容易に諒解されよう。
【００３１】
[0045]図２に、開示する実施形態に従って使用され得るシステム２００を示す。システム２００は、１つまたは複数のコンポーネントキャリア１〜Ｎ（ＣＣ１〜ＣＣＮ）を使用してｅＮＢ１０５−ａ（たとえば、基地局、アクセスポイントなど）と通信し得る、ＵＥ１１５−ａを含み得る。ＵＥ１１５−ａおよびｅＮＢ１０５−ａは、図１のＵＥ１１５およびｅＮＢ１０５の例であり得る。図２にはただ１つのユーザ機器１１５−ａおよび１つのｅＮＢ１０５−ａが示されているが、システム２００は任意の数のＵＥ１１５および／またはｅＮＢ１０５を含み得ることを諒解されたい。
【００３２】
[0046]一実施形態では、ｅＮＢ１０５−ａは、コンポーネントキャリアＣＣ１２０５〜ＣＣＮ２１０上の順方向（ダウンリンク）チャネル２２０および２３０を介してＵＥ１１５−ａに情報を送信し得る。さらに、ＵＥ１１５−ａは、コンポーネントキャリアＣＣ１２０５〜ＣＣＮ２１０上の逆方向（アップリンク）チャネル２１５および２２５を介してｅＮＢ１０５−ａに情報を送信し得る。図２ならびに開示される実施形態のいくつかに関連する他の図の様々なエンティティについて説明する際は、説明の目的で、３ＧＰＰ  ＬＴＥまたはＬＴＥ−Ａワイヤレスネットワークに関連する用語が使用される。ただし、システム２００は、限定はしないが、ＯＦＤＭＡワイヤレスネットワーク、ＣＤＭＡネットワーク、３ＧＰＰ２  ＣＤＭＡ２０００ネットワークなどの他のネットワークにおいて動作し得ることを諒解されたい。
【００３３】
[0047]ＬＴＥ−Ａベースのシステムでは、ＵＥ１１５−ａは、より広い全送信帯域幅を可能にするためにｅＮＢ１０５−ａによって利用される複数のコンポーネントキャリアで構成され得る（たとえば、キャリアアグリゲーション）。図２に示されているように、ＵＥ１１５−ａは「コンポーネントキャリア１」２０５〜「コンポーネントキャリアＮ」２１０で構成され得、ここで、Ｎは１以上の整数である。図２は２つのコンポーネントキャリアを示しているが、ＵＥ１１５−ａは、任意の好適な数のコンポーネントキャリアで構成され得、したがって、本明細書で開示される主題および特許請求の範囲は２つのコンポーネントキャリアに限定されないことを諒解されたい。コンポーネントキャリア２０５〜２１０は、それぞれのダウンリンク２２０および２３０ならびにそれぞれのアップリンク２１５および２２５を含み得る。
【００３４】
[0048]マルチキャリア動作中、異なるＵＥに関連付けられたダウンリンク制御情報（ＤＣＩ：Downlink Control Information）メッセージは、複数のコンポーネントキャリア上で搬送され得る。たとえば、ＰＤＣＣＨ上のＤＣＩは、ＰＤＳＣＨ送信のためにＵＥによって使用されるように構成された同じコンポーネントキャリア上に含まれ得る（すなわち、同一キャリアシグナリング（same-carrier signaling））。代替または追加として、ＤＣＩは、ＰＤＳＣＨ送信のために使用されるターゲットコンポーネントキャリアとは異なるコンポーネントキャリア上で搬送され得る（たとえば、クロスキャリアシグナリング（cross-carrier signaling））。いくつかの実施形態では、半静的に有効化され得るキャリアインジケータフィールド（ＣＩＦ：carrier indicator field）は、ＰＤＳＣＨ送信のためのターゲットキャリア以外のキャリアからのＰＤＣＣＨ制御シグナリングの送信を容易にするために、一部または全部のＤＣＩフォーマット中に含まれ得る（クロスキャリアシグナリング）。
【００３５】
[0049]ＬＴＥ／ＬＴＥ−Ａベースのシステムへの拡張は、これらのシステムの容量およびカバレージを増加させ得る。さらに、ＬＴＥ／ＬＴＥ−Ａベースのシステムへの拡張が実装されたとき、異なるセル間の協調も改善し得る。一実施形態では、システムの容量およびカバレージを増加させるためにキャリアアグリゲーションに基づく小さいセル拡張が実装され得る。
【００３６】
[0050]ニューキャリアタイプ（ＮＣＴ）は、小さいセルを最適化するのを助けるために導入され得る。ＮＣＴはマクロセルにおいても使用され得る。一構成では、ＮＣＴは、共通基準信号オーバーヘッドを低減し、ダウンリンク制御チャネルの動作が復調基準信号（demodulation reference signals）に基づくことを可能にし得る。たとえば、ＬＴＥ／ＬＴＥ−Ａ  Ｒｅｌ．１２では、ＮＣＴが導入され、セル固有基準信号の送信が５つのサブフレームのうち４つにおいて除去される。これは、ｅＮＢの異なる送信アンテナ構成に対する様々な性能利得を与え得る。しかしながら、ＣＲＳ周期性を低減すると異なる問題が生じ得る。様々な構成がこれらの問題に対処し得る。たとえば、いくつかの構成では、異なるサブフレーム上の複数のＣＲＳ送信間の位相不連続性が導入され得る。場合によっては、ＮＣＴ上でｅＮＢ１０５−ａからＵＥ１１５−ａに送信されるインジケータは、位相連続性が仮定され得るか否かを示し得る。さらに、低減されたＣＲＳ周期性では、セルによって送信されるＣＲＳシーケンスがより少数であり得る。これはＣＲＳシーケンス初期化に影響を及ぼし得る。いくつかの構成は、セルごとの可能なシーケンスの数が（たとえば、（１０ｍｓＣＲＳシーケンス初期化周期性のための）２から（４０ｍｓＣＲＳシーケンス初期化周期性のための）８に）増加され得るように、拡張されたＣＲＳシーケンス周期性を利用することによってこの問題に対処し得る。いくつかの構成はまた、時間および／または周波数マッピング、ｅＮＢ１０５−ａからＵＥ１１５−ａへの送信など、ＣＲＳ構成情報を導入し得る。ＣＲＳ構成情報はシステム帯域幅に依存し得る。
【００３７】
[0051]図３は、様々な構成によるワイヤレス通信システム３００を示すブロック図３００である。システム３００は、様々な構成によるＵＥ１１５−ｂと基地局１０５−ｂとを含む。ＵＥ１１５−ｂは、図１、図２、および／または図８に示されたＵＥ１１５の一例であり得る。基地局１０５−ｂは、図１、図２、および／または図８に示された基地局の一例であり得る。基地局１０５−ｂは、受信機モジュール３０５、共通基準信号管理モジュール３１０、および／または送信機モジュール３１５を含み得る。これらの構成要素の各々は互いに通信中であり得、場合によっては、これらの構成要素は１つまたは複数のモジュールに組み込まれ得る。ＵＥ１１５−ｂは、受信機モジュール３５５と、共通基準信号処理モジュール３６０と、送信機モジュール３６５とを含み得る。これらの構成要素の各々は互いに通信中であり得、これらの構成要素は１つまたは複数のモジュールに組み込まれ得る。基地局１１５−ｂおよびＵＥ１１５−ｂは互いにワイヤレス通信３２５中であり得る。
【００３８】
[0052]ＵＥ１１５−ｂまたは基地局１０５−ｂのこれらの構成要素は、ハードウェア中の適用可能な機能の一部または全部を実行するように適応された１つまたは複数の特定用途向け集積回路（ＡＳＩＣ）を用いて個別にまたは集合的に実装され得る。代替的に、機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、１つまたは複数の汎用または特定用途向けプロセッサによって実行されるためにフォーマットされた、メモリ中に組み込まれた命令を用いて全体的にまたは部分的に実装され得る。
【００３９】
[0053]いくつかの構成では、ＵＥ１１５−ｂの受信機モジュール３５５は、セルラー受信機を含み得、送信機モジュール３１５から送信された基地局１０５−ｂからの送信を受信し得る。基地局１０５−ｂの共通基準信号（ＣＲＳ）管理モジュール３１０は、送信機モジュール３１５を介して送信され得るＣＲＳ送信を管理し得る。ＵＥ１１５−ｂのＣＲＳ処理モジュール３６０は、受信機モジュール３５５を介して受信され得るＣＲＳ送信を処理し得る。
【００４０】
[0054]いくつかの構成では、ＣＲＳ管理モジュール３１０は、異なるサブフレーム上の複数のＣＲＳ送信間の位相不連続性を導入し得る。たとえば、ＣＲＳ管理モジュール３１０は、第１の共通基準信号（ＣＲＳ）送信と第２のＣＲＳ送信との間で使用する位相不連続性を決定し得る。ＣＲＳ管理モジュール３１０および／または送信機モジュール３１５は、次いで、位相連続性を維持することなしに第１のＣＲＳ送信と第２のＣＲＳ送信とを送信し得る。これは、決定された位相不連続性を利用することを伴い得る。ＵＥ１１５−ｂは、第１の共通基準信号（ＣＲＳ）送信と第２のＣＲＳ送信との間で位相連続性が仮定され得ないと決定するためにＣＲＳ処理モジュール３６０を利用し得る。場合によっては、これは、位相不連続性が使用されると決定することを伴い得る。ＣＲＳ処理モジュール３６０および／または受信機モジュール３５５は、位相不連続性を使用する第１のＣＲＳ送信と第２のＣＲＳ送信とを受信し得る。システム３００はＣＲＳ送信に関してニューキャリアタイプ（ＮＣＴ）を使用し得る。
【００４１】
[0055]いくつかの構成では、基地局１０５−ｂのＣＲＳ管理モジュール３１０および／またはＵＥ１１５−ｂのＣＲＳ処理モジュール３６０がＣＲＳシーケンス初期化に関して利用され得る。たとえば、ＣＲＳ管理モジュール３１０および／またはＣＲＳ処理モジュール３６０は、識別された基準信号シーケンス周期に関して、拡張された共通基準信号シーケンス周期を決定し得る。ＣＲＳ管理モジュール３１０および／またはＣＲＳ処理モジュール３６０は、拡張された共通基準信号シーケンス周期を様々な方法で利用し得る。ワイヤレス通信システム３００は、ＣＲＳシーケンス初期化に関してニューキャリアタイプ（ＮＣＴ）を使用し得る。
【００４２】
[0056]次に図４および図５を参照すると、図４は、様々な構成による基地局１０５−ｃを示すブロック図４００を示し、図５は、様々な構成によるＵＥ１１５−ｃのブロック図５００を示している。ＵＥ１１５−ｃは、図１、図２、図３、および／または図８に示されたＵＥ１１５の一例であり得る。基地局１０５−ｃは、図１、図２、図３および／または図８に示された基地局の一例であり得る。基地局１０５−ｃおよびＵＥ１１５−ｃは、本明細書で説明される機能を実行するための手段であるか、またはそれを含み得る。基地局１０５−ｃは、受信機モジュール３０５、共通基準信号（ＣＲＳ）管理モジュール３１０−ａ、および／または送信機モジュール３１５を含み得る。ＣＲＳ管理モジュール３１０−ａは、ＣＲＳ位相不連続性モジュール４０５および／またはＣＲＳ位相状態インジケータモジュール４１０を含み得る。ＣＲＳ管理モジュール３１０−ａは図３および／または図８のＣＲＳ管理モジュール３１０の一例であり得る。基地局１０５−ｃの構成要素の各々は互いに通信中であり得、場合によっては、これらの構成要素は１つまたは複数のモジュールに組み込まれ得る。ＵＥ１１５−ｃは、受信機モジュール３５５と、共通基準信号（ＣＲＳ）処理モジュール３６０−ａと、送信機モジュール３６５とを含み得る。ＣＲＳ処理モジュール３６０−ａは、ＣＲＳ位相状態決定モジュール５１０および／またはＣＲＳコヒーレントコンバイナモジュール（a CRS coherent combiner module）５０５を含み得る。ＣＲＳ処理モジュール３６０−ａは図３および／または図８のＣＲＳ管理モジュール３６０の一例であり得る。ＵＥ１１５−ｃの構成要素の各々は互いに通信中であり得、これらの構成要素は１つまたは複数のモジュールに組み込まれ得る。
【００４３】
[0057]ＵＥ１１５−ｃまたは基地局１０５−ｃのこれらの構成要素は、ハードウェア中の適用可能な機能の一部または全部を実行するように適応された１つまたは複数の特定用途向け集積回路（ＡＳＩＣ）を用いて個別にまたは集合的に実装され得る。代替的に、機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、１つまたは複数の汎用または特定用途向けプロセッサによって実行されるためにフォーマットされた、メモリ中に組み込まれた命令を用いて全体的にまたは部分的に実装され得る。
【００４４】
[0058]いくつかの構成では、ＵＥ１１５−ｃの受信機モジュール３５５は、セルラー受信機を含み得、送信機モジュール３１５から送信された基地局１０５−ｃなどの基地局からの送信を受信し得る。基地局１０５−ｃの共通基準信号（ＣＲＳ）管理モジュール３１０−ａは、送信機モジュール３１５を介して送信され得るＣＲＳ送信を管理し得る。ＵＥ１１５−ｃのＣＲＳ処理モジュール３６０−ａは、受信機モジュール３５５を介して受信され得るＣＲＳ送信を処理し得る。
【００４５】
[0059]いくつかの構成では、ＣＲＳ管理モジュール３１０は、異なるサブフレーム上の複数のＣＲＳ送信間の位相不連続性を導入し得る。たとえば、ＣＲＳ管理モジュール３１０は、第１の共通基準信号（ＣＲＳ）送信と第２のＣＲＳ送信との間で使用する位相不連続性を決定し得る。ＣＲＳ管理モジュール３１０および／または送信機モジュール３１５は、次いで、位相連続性を維持することなしに第１のＣＲＳ送信と第２のＣＲＳ送信とを送信し得る。これは、位相不連続性を使用することを伴い得る。
【００４６】
[0060]異なるサブフレーム上のＣＲＳ間の位相不連続性を導入することは、１つのサブフレーム上の起こり得る信号ヌルが後続のサブフレーム上でおそらく生じ得ないようにさせ得る。その結果、異なるサブフレームにわたる信号の非コヒーレント結合（non-coherent combining）の場合と同様にＣＲＳカバレージホールが最小限に抑えられ得、カバレージホールの確率が著しく低減され得る。
【００４７】
[0061]ＵＥ１１５−ｃについて、コヒーレント結合が、あるサブフレームで可能にされ得、ＣＲＳコヒーレントコンバイナモジュール５０５を利用して実装され得る。たとえば、２つの異なるＯＦＤＭシンボル上の物理リソースブロック（ＰＲＢ：physical resource block）ごとの４つのＣＲＳトーンが利用され得る。同じサブフレームに属する２つのＯＦＤＭシンボル間で位相連続性が維持され得る。しかしながら、１つのサブフレーム上のＣＲＳは、場合によっては、後続のサブフレーム上のＣＲＳのための基準として（as a reference for CRS）使用されないことがある。
【００４８】
[0062]ＵＥ１１５−ｃは、たとえば、第１の共通基準信号（ＣＲＳ）送信と第２のＣＲＳ送信との間で、位相連続性が使用されると仮定され得ないことを決定するために、ＣＲＳ位相状態決定モジュール５１０を介してＣＲＳ処理モジュール３６０−ａを利用し得る。これは、位相不連続性が使用されると決定することを伴い得る。ＣＲＳ位相ステートメント決定モジュール５１０を介したＣＲＳ処理モジュール３６０−ａ、および／または受信機モジュール３５５は、位相連続性を維持することなしに第１のＣＲＳ送信と第２のＣＲＳ送信とを受信し得る。場合によっては、これは、位相不連続性を使用する複数の共通基準信号を伴い得る。
【００４９】
[0063]場合によっては、基地局１０５−ｃは、ＵＥ１１５−ｃなどのＵＥが異なるサブフレームにわたるＣＲＳトーン上の信号をコヒーレントに結合し得るかどうかを、そのＵＥに示し得る。いくつかの構成は、標準によって規定され得る静的指示を利用し得る。たとえば、標準的な構成は、基地局１０５−ｃおよび／またはＵＥ１１５−ｃの両方に対して、サブフレーム間の位相不連続性が利用されない、連続ＣＲＳ位相が概して利用され得る、と仮定することであり得る。次いで、連続ＣＲＳ位相モードからＣＲＳ位相不連続性モードへの、またはその逆の変化を示すためのシグナリングが利用され得る。他の構成は、ＵＥへの半静的指示を利用し得る。たとえば、ＲＲＣシグナリングは、ユニキャストされ得る専用シグナリングのために利用され、および／または複数のＳＩＢのうちの１つ中でブロードキャストし得るシステム情報を通して利用され得る。システム情報変化プロシージャは、たとえば、位相情報が変化したときに呼び出され得る。この情報は頻繁に変化しないことが予想され得るが、たとえば、異なるセルタイプ、および／またはニューキャリアタイプ（ＮＣＴ）を検出し測定し得るレガシーＵＥへの潜在的影響にアクセスするための何らかの最適化が利用され得る。本明細書で使用する「レガシーＵＥ」は、ＮＣＴに先行する（pre-date NCT）キャリアタイプおよび／またはシングルキャリアを採用するシステム上での動作のために構成または最適化されたＵＥを指すことがある。たとえば、レガシーＵＥは、ＬＴＥ／ＬＴＥ−Ａ  Ｒｅｌ．１２に先行するＬＴＥ／ＬＴＥ−Ａネットワーク上での使用のために構成されたＵＥであり得る。いくつかの実装形態では、たとえば、ネットワーク上で登録されたレガシーＵＥがある場合、ＣＲＳ位相不連続性は使用されないが、ネットワーク上で登録されたレガシーＵＥがない場合、ＣＲＳ位相不連続性が使用され得、基地局１０５−ｃによってＣＲＳ位相不連続性の指示がＵＥにシグナリングされ得る。
【００５０】
[0064]いくつかの構成は、ＣＲＳ位相連続性の変化を示すために基地局１０５−ｃのＣＲＳ位相状態インジケータモジュール４１０を利用することを含む。たとえば、ＣＲＳ位相状態インジケータモジュールは、それが、異なるサブフレーム上の複数のＣＲＳ送信間の位相不連続性を利用することからコヒーレント位相に変化している、ことを示し得る。場合によっては、ＣＲＳ位相状態インジケータモジュールは、位相連続性が仮定され得ることを示し得る。インジケータはＵＥ１１５−ｃのＣＲＳ位相状態決定モジュール５１０によって受信され得、したがって、ＣＲＳ位相状態決定モジュール５１０は変化を決定し得、次いで場合によっては、ＣＲＳ信号をコヒーレント結合することを開始し得る。
【００５１】
[0065]適切なＵＥ測定を保証するために、シグナリングがＣＲＳ位相連続性の変化を示すときはいつでも、基地局１１５−ｃは位相連続性を維持し得る。たとえば、ｔ＿０において、ＣＲＳ位相が連続でないことがあり、この場合、ＵＥは、サブフレームにわたってＣＲＳ信号をコヒーレントに結合しないことがある。ｔ＿１において、基地局１１５−ｃが連続ＣＲＳ位相に切り替わり得、場合によっては、基地局１１５−ｃは、この変化を容易にするためにＣＲＳ位相不連続性モジュール４０５を利用し得る。ｔ＿２において、基地局１０５−ｃは、連続ＣＲＳ位相へのＣＲＳ位相の変化を示し得、基地局１０５−ｃは、このプロセスを容易にするためにＣＲＳ位相状態インジケータモジュール４１０を利用し得る。ｔ＿３において、ＵＥ１１５−ｃなどのＵＥは、変化を示しＣＲＳ信号のコヒーレント結合から開始するシグナリングを処理し得、ＵＥ１１５−ｃは、このプロセスを容易にするためにＣＲＳ位相状態決定モジュール５１０および／またはＣＲＳコヒーレントコンバインモジュール５０５を利用し得る。
【００５２】
[0066]基地局１０５−ｃはまた、ＣＲＳ位相不連続性モジュール４０５および／またはＣＲＳ位相状態インジケータモジュール４１０を利用して不連続ＣＲＳ位相（a discontinuous CRS phase）を利用するために変化を示し得る。たとえば、ｔ＿０において、基地局１０５−ｃは、連続であるＣＲＳ位相を利用し得る。これらの場合、ＵＥ１１５−ｃなどのＵＥは、ＣＲＳコヒーレントコンバイナモジュール５０５を介して、サブフレームにわたってＣＲＳ信号をコヒーレントに結合し得る。ｔ＿１において、基地局１０５−ｃは、ＣＲＳ位相状態インジケータモジュール４１０を介して、それが連続ＣＲＳ位相を利用することから不連続ＣＲＳ位相を利用することに変化しようとしていることを示し得る。ｔ＿２において、ＵＥ１１５−ｃなどのＵＥは、ＣＲＳ位相状態決定モジュール５１０を介して、変化を示すシグナリングを処理し得、ＣＲＳ信号のコヒーレント結合で停止し得る。ｔ＿３において、基地局１０５−ｃは、ＣＲＳ位相不連続性モジュール４０５を使用して不連続ＣＲＳ位相を利用することに切り替わり得る。場合によっては、基地局１０５−ｃは、それがＵＥにＣＲＳ位相変化を示すインジケータを送信する前に、不連続ＣＲＳ位相を利用することに切り替わり得る。
【００５３】
[0067]概していくつかの構成では、基地局１０５−ｃは、ＣＲＳ位相状態インジケータモジュールおよび／または送信機モジュール３１５を介して、位相連続性が仮定され得ないことを示すインジケータを（ＵＥ１１５−ｃなどの）１つまたは複数のＵＥに送信し得る。これは、決定された位相不連続性が使用されるべきであるというインジケータを送信することを伴い得る。インジケータは、位相連続性なしでまたは位相不連続性を使用して第１のＣＲＳ送信と第２のＣＲＳ送信とが送信される前に、１つまたは複数のＵＥに送信され得る。
【００５４】
[0068]場合によっては、基地局１０５−ｃは、ＣＲＳ位相状態インジケータモジュール４１０を利用して第３のＣＲＳ送信と第４のＣＲＳ送信との間で連続ＣＲＳ位相が使用されるべきであると決定し得る。第３のＣＲＳ送信と第４のＣＲＳ送信とは、連続ＣＲＳ位相を使用して送信され得る。位相連続性が仮定され得ること、または決定された位相不連続性の使用が中止されるべきであることを示すインジケータが、ＣＲＳ位相状態インジケータモジュール４１０を利用して１つまたは複数のＵＥに送信され得る。いくつかの構成は、第３のＣＲＳ送信と第４のＣＲＳ送信とがコヒーレントに結合され得ることを示すインジケータをＣＲＳ位相状態インジケータモジュール４１０を介して１つまたは複数のＵＥに送信することを含む。
【００５５】
[0069]ＵＥ側では、ＵＥ１１５−ｃなどのＵＥは、基地局１０５−ｃなどの基地局から受信機３５５を介して共通基準信号を受信するように構成され得る。概してＣＲＳ位相状態決定モジュール３１０を利用して、ＵＥ１１５−ｃは、第１の共通基準信号（ＣＲＳ）送信と第２のＣＲＳ送信との間で、位相連続性が仮定され得ないと、または位相不連続性が使用されると決定し得る。ＵＥ１１５−ｃは、受信機モジュール３５５および／またはＣＲＳ位相状態決定モジュール５１０を利用して位相連続性を維持することなしに第１のＣＲＳ送信と第２のＣＲＳ送信とを受信し得る。これは位相不連続性の使用を伴い得る。
【００５６】
[0070]場合によっては、第１のＣＲＳ送信と第２のＣＲＳ送信との間で、位相連続性が仮定され得ないと、または位相不連続性が使用されると決定することは、位相連続性が仮定され得ないこと、または位相不連続性が使用されるようになることを示すインジケータをＣＲＳ位相状態決定モジュール５１０において受信することを含み得る。場合によっては、連続ＣＲＳ位相を使用する第３のＣＲＳ送信と第４のＣＲＳ送信とが受信され得る。位相連続性が仮定され得ること、または決定された位相不連続性が中断されたことを示すインジケータがＣＲＳ位相状態決定モジュール５１０において受信され得る。場合によっては、第３のＣＲＳ送信と第４のＣＲＳ送信とがコヒーレントに結合され得るというインジケータが、ＣＲＳ位相状態決定モジュール５１０によって受信され、利用され得る。
【００５７】
[0071]場合によっては、基地局１０５−ｃによって利用される位相不連続性は第１のフレームと第２のフレームとの間に生じ得る。たとえば、ＮＣＴ上のＣＲＳが５ｍｓごとに送信され得、ＣＲＳのための現在の擬似ランダムシーケンスが概して１０ｍｓの周期性を有する場合、１０ｍｓ（１フレーム）持続時間など、各フレーム内でＣＲＳ位相連続性を維持することが可能であり得る。追加または代替として、１つまたは複数のフレーム境界において位相不連続性を有することが、可能であり得る。フレーム間で位相不連続性が発生する場合、ＵＥ１１５などのＵＥは、１つのフレーム中で複数のＣＲＳ送信（たとえば、２つのＣＲＳ送信）を依然としてコヒーレントに結合し得る。他の場合には、位相不連続性は所与のフレームの複数のサブフレーム間で生じ得る。たとえば、第１のＣＲＳ送信と第２のＣＲＳ送信とが第１のフレーム内で生じ得る。
【００５８】
[0072]いくつかの構成では、基地局１０５−ｃは、ＣＲＳ位相不連続性モジュール４０５を介して、位相ランプアップまたはサイクル遅延ダイバーシティ（ＣＤＤ）プロセスを使用してＣＲＳ位相不連続性を導入し得る。たとえば、時間とともに緩やかにチャネルを混乱させるために、時間において変動する循環的遅延（variable cyclical delay in time）と、アンテナにわたるＣＤＤとがあり得る。ＣＤＤは周波数におけるものでもあり得る。このようにして、ＣＣＤは、時間においてまたは周波数においてＣＲＳ位相を変化させて位相不連続性を導入し得る。
【００５９】
[0073]いくつかの構成では、基地局１０５−ｃおよび／またはＵＥ１１５−ｃは、それらが不連続ＣＲＳ位相を利用するか連続ＣＲＳ位相を利用するかにかかわらず、ＣＲＳ送信を送信および／または受信することに関してニューキャリアタイプ（ＮＣＴ）を利用し得る。
【００６０】
[0074]次に図６および図７を参照すると、図６は、様々な構成による基地局１０５−ｄを示すブロック図６００を示し、図７は、様々な構成によるＵＥ１１５−ｄのブロック図７００を示している。ＵＥ１１５−ｄは、図１、図２、図３、および／または図８に示されたＵＥ１１５の一例であり得る。基地局１０５−ｄは、図１、図２、図３および／または図８に示された基地局の一例であり得る。基地局１０５−ｄは、受信機モジュール３０５、共通基準信号（ＣＲＳ）管理モジュール３１０−ｂ、および／または送信機モジュール３１５を含み得る。ＣＲＳ管理モジュール３１０−ｂは、ＣＲＳシーケンス周期性モジュール６０５および／またはＣＲＳ構成モジュール６１０を含み得る。ＣＲＳ管理モジュール３１０−ｂは図３および／または図８のＣＲＳ管理モジュール３１０の一例であり得る。基地局１０５−ｄの構成要素の各々は互いに通信中であり得、場合によっては、これらの構成要素は１つまたは複数のモジュールに組み込まれ得る。ＵＥ１１５−ｄは、受信機モジュール３５５と、共通基準信号（ＣＲＳ）処理モジュール３６０−ｂと、送信機モジュール３６５とを含み得る。ＣＲＳ処理モジュール３６０−ｂは、ＣＲＳシーケンス境界モジュール（a CRS sequence boundary module）７０５および／またはＣＲＳ構成決定モジュール７１０を含み得る。ＣＲＳ処理モジュール３６０−ｂは図３および／または図８のＣＲＳ管理モジュール３６０の一例であり得る。ＵＥ１１５−ｄの構成要素の各々は互いに通信中であり得、これらの構成要素は１つまたは複数のモジュールに組み込まれ得る。
【００６１】
[0075]ＵＥ１１５−ｄまたは基地局１０５−ｄのこれらの構成要素は、ハードウェア中の適用可能な機能の一部または全部を実行するように適応された１つまたは複数の特定用途向け集積回路（ＡＳＩＣ）を用いて個別にまたは集合的に実装され得る。代替的に、機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、１つまたは複数の汎用または特定用途向けプロセッサによって実行されるためにフォーマットされた、メモリ中に組み込まれた命令を用いて個別にまたは集合的に実装され得る。
【００６２】
[0076]いくつかの構成では、ＵＥ１１５−ｄの受信機モジュール３３５は、セルラー受信機を含み得、送信機モジュール３１５から送信された基地局１０５−ｄなどの基地局からの送信を受信し得る。基地局１０５−ｄの共通基準信号（ＣＲＳ）管理モジュール３１０−ｂは、送信機モジュール３１５を介して送信され得るＣＲＳ送信を管理し得る。ＵＥ１１５−ｄのＣＲＳ処理モジュール３６０−ｂは、受信機モジュール３５５を介して受信され得るＣＲＳ送信を処理し得る。
【００６３】
[0077]いくつかの構成では、基地局１０５−ｄのＣＲＳ管理モジュール３１０−ｂおよび／またはＵＥ１１５−ｄのＣＲＳ処理モジュール３６０−ｂがＣＲＳシーケンス初期化に関して利用され得る。たとえば、ＣＲＳ管理モジュール３１０−ｂおよび／またはＣＲＳ処理モジュール３６０−ｂは、識別された基準信号シーケンス周期に関して、拡張された共通基準信号シーケンス周期を決定し得る。ＣＲＳ管理モジュール３１０−ｂおよび／またはＣＲＳ処理モジュール３６０−ｂは、拡張された共通基準信号シーケンス周期を様々な方法で利用し得る。基地局１０５−ｄおよび／またはＵＥ１１５−ｄが利用するワイヤレス通信システムは、ＣＲＳシーケンス初期化に関してニューキャリアタイプ（ＮＣＴ）を使用し得る。
【００６４】
[0078]たとえば、ＣＲＳシーケンス初期化は、場合によっては、１０ｍｓの周期性などで、特定の周期性で行われ得、たとえば、シーケンスの同じセットが１０ｍｓごとに繰り返し得る。ＮＣＴでは、ＣＲＳは、概して、５ｍｓの周期性を有し、その結果、（ＣＲＳが１ｍｓの周期性を有し得る場合のように１０個の可能なシーケンスではなく）セルによって送信される２つの可能なＣＲＳシーケンスのみがあり得る。したがって、セルにわたる十分なシーケンスランダム化がないことがあり得る。したがって、測定が影響を受け得る（たとえば、不良なシーケンス相関をもつ２つまたは複数のセルの影響が、測定性能に影響を及ぼし得る）。
【００６５】
[0079]ＣＲＳシーケンス周期性モジュール６０５を介したＣＲＳ管理モジュール３１０−ｂ、および／またはＣＲＳシーケンス境界モジュール７０５を介したＣＲＳ処理モジュール３６０−ｂを利用して提供されるツールおよび技法は、ＣＲＳシーケンス周期性を拡張することを通してこれらの問題に対処し得る。たとえば、ＮＣＴに関して、ＮＣＴにおけるセルごとの可能なシーケンスの数は２よりも大きくなり得る（たとえば、４０ｍｓ（したがって８つの可能なシーケンス）または５０ｍｓ（したがって１０個の可能なシーケンス））。
【００６６】
[0080]近隣セルを測定するために、ＵＥ１１５−ｄは、たとえば、ＣＲＳシーケンス境界モジュール７０５を利用して、（サブ）フレーム中で使用される対応するＣＲＳシーケンスを決定し得る。いくつかの一般的な場合では、近隣セルを測定するために、ＵＥ１１５−ｄなどのＵＥは、１次同期信号（ＰＳＳ）および／または２次同期信号（ＳＳＳ）を検出して、それから、たとえば、セルのための１０ｍｓ境界と、対応するＣＲＳシーケンスとを導出し得る。拡張されたＣＲＳシーケンス初期化を用いて、ＵＥ１１５−ｄは、（たとえば、４０ｍｓを使用して）ＰＳＳおよび／またはＳＳＳを検出し、それに物理ブロードキャストチャネル（ＰＢＣＨ）検出が続いて４０ｍｓ周期の開始を決定し、次いで、ＣＲＳシーケンス境界モジュール７０５を利用して測定のためのＣＲＳシーケンスを導出し得る。場合によっては、ＵＥ１１５−ｄは、ＰＳＳおよび／またはＳＳＳを検出し得、測定のための４つの可能なＣＲＳシーケンスを使用する。
【００６７】
[0081]したがって、いくつかの構成では、ＵＥ１１５−ｄは、特にＣＲＳ処理モジュール３６０−ｂおよび／またはＣＲＳシーケンス境界モジュール７０５を介して、拡張された共通基準信号シーケンス周期に関して、拡張されたＣＲＳシーケンス境界をＵＥ１１５−ｄにおいて決定し得る。拡張された共通基準信号シーケンス周期に関して、拡張されたＣＲＳシーケンス境界をＵＥ１１５−ｄにおいて決定することは、拡張されたＣＲＳシーケンス境界を決定するために、１次同期信号（ＰＳＳ）と２次同期信号（ＳＳＳ）と物理ブロードキャストチャネル（ＰＢＣＨ）とを検出することを含み得る。拡張されたＣＲＳシーケンス境界を決定した後に、測定のための１つまたは複数のＣＲＳシーケンスが導出され得る。拡張された共通基準信号シーケンス周期に関してＣＲＳシーケンス境界をＵＥ１１５−ｄにおいて決定することは、１次同期信号（ＰＳＳ）もしくは２次同期信号（ＳＳＳ）を検出すること、および／または測定のための複数のＣＲＳシーケンス仮定（multiple CRS sequence hypotheses）を利用することを含み得る。
【００６８】
[0082]場合によっては、基地局１０５−ｄは、特にＣＲＳ管理モジュール３１０−ｂおよび／またはＣＲＳシーケンス周期性モジュール６０５を介して、１つまたは複数のＵＥ（たとえば、ＵＥ１１５−ｄ）が、拡張されたＣＲＳシーケンス境界を決定することを容易にするために、１次同期信号（ＰＳＳ）と２次同期信号（ＳＳＳ）と物理ブロードキャストチャネル（ＰＢＣＨ）とを送信し得る。
【００６９】
[0083]いくつかの構成では、ＣＲＳシーケンス初期化は、ＣＲＳ構成モジュール６１０、ＣＲＳ管理モジュール３１０−ｂ、および／または送信機モジュール３１５を利用して、基地局１０５−ｄがＣＲＳ構成を決定することおよび／または１つまたは複数のＵＥ（たとえば、ＵＥ１１５−ｄ）にＣＲＳ構成を送信することを伴い得る。ＣＲＳ構成はシステム帯域幅に依存し得る。いくつかの構成では、ＵＥ１１５−ｄは、ＣＲＳ構成決定モジュール７１０、ＣＲＳ処理モジュール３６０−ｂ、および／または受信機モジュール３５５を利用してＣＲＳ構成を受信および／または決定するように構成され得る。
【００７０】
[0084]たとえば、いくつかの構成は、システム帯域幅に応じてＣＲＳ時間および／または周波数マッピングを導入し得る。場合によっては、基地局１０５−ｄは、この情報を、拡張物理ブロードキャストチャネル（ｅＰＢＣＨ）などの物理ブロードキャストチャネルを通して示し得る。たとえば、小さいシステム帯域幅はより多数のＣＲＳサブフレームを有し得、より大きいシステム帯域幅はより少数のＣＲＳサブフレームを有し得、ＣＲＳ自体は全体的なまたは部分的な帯域幅にわたり得る。場合によっては、追加の依存性はフレーム構造（ＦＳ：Frame Structure）ＦＳ１およびＦＳ２、および／またはダウンリンク／アップリンク構成であり得る。たとえば、ＦＳ２では、いくつかの構成は２つのＤＬサブフレームを有し得る。ＦＳ１では、マルチキャストブロードキャスト単一周波数ネットワーク（Multicast-Broadcast Single Frequency Network）（ＭＢＳＦＮ）は、（たとえば、スタンドアロンＮＣＴについて）ＭＢＳＦＮがどのように定義されるかに応じて、別のファクタであり得る。
【００７１】
[0085]図８は、ｅＮＢ１０５−ｅとＵＥ１１５−ｅとを含むＭＩＭＯ通信システム８００のブロック図である。このシステム８００は図１のシステム１００の態様を示し得る。ｅＮＢ１０５−ｅは、図１、図２、図３、図４、および／または図６のｅＮＢ１０５の一例であり得る。ＵＥ１１５−ｅは、図１、図２、図３、図５、および／または図７のＵＥ１１５の一例であり得る。ｅＮＢ１０５−ｅはアンテナ８３４−ａ〜８３４−ｘを装備し得、ＵＥ１１５−ｅはアンテナ８５２−ａ〜８５２−ｎを装備し得る。システム８００において、ｅＮＢ１０５−ｅは、同時に複数の通信リンク上でデータを送ることが可能であり得る。各通信リンクは「レイヤ」と呼ばれることがあり、通信リンクの「ランク」は、通信のために使用されるレイヤの数を示し得る。たとえば、ｅＮＢ１０５−ｅが２つの「レイヤ」を送信する２×２ＭＩＭＯシステムでは、ｅＮＢ１０５−ｅとＵＥ１１５−ｅとの間の通信リンクのランクは２である。
【００７２】
[0086]ｅＮＢ１０５−ｅにおいて、送信プロセッサ８２０がデータソースからデータを受信し得る。送信プロセッサ８２０はデータを処理し得る。送信プロセッサ８２０はまた、基準シンボルとセル固有基準信号とを生成し得る。送信（ＴＸ）ＭＩＭＯプロセッサ８３０が、適用可能な場合、データシンボル、制御シンボル、および／または基準シンボルに対して空間処理（たとえば、プリコーディング）を実行し得、出力シンボルストリームを送信変調器８３２−ａ〜８３２−ｘに与え得る。各変調器８３２は、（たとえば、ＯＦＤＭなどのために）それぞれの出力シンボルストリームを処理して、出力サンプルストリームを取得し得る。各変調器８３２はさらに、出力サンプルストリームを処理（たとえば、アナログへの変換、増幅、フィルタ処理、およびアップコンバート）して、ダウンリンク信号を取得し得る。一例では、変調器８３２−ａ〜８３２−ｘからのダウンリンク信号は、それぞれアンテナ８３４−ａ〜８３４−ｘを介して送信され得る。受信プロセッサ８３８は、検出されたシンボルを処理（たとえば、復調、デインターリーブ、および復号）して、ＵＥ１１５−ｅについて復号されたデータをデータ出力に与え、復号された制御情報をプロセッサ８４０、またはメモリ８４２に与え得る。プロセッサ８４０は送信プロセッサ８２０および／または送信ＭＩＭＯプロセッサ８３０と通信もし得る。いくつかの実施形態では、メモリ８４２に結合されたプロセッサ８４０は、本明細書で説明されるシステムおよび方法を実装するために共通基準信号管理モジュール３１０−ｃを含み得る。共通基準信号管理モジュール３１０−ｃは、図３、図４、および／または図６のモジュール３１０の例であり得る。
【００７３】
[0087]ＵＥ１１５−ｅにおいて、ＵＥアンテナ８５２−ａ〜８５２−ｎは、ｅＮＢ１０５−ｅからダウンリンク信号を受信し得、受信信号をそれぞれ復調器８５４−ａ〜８５４−ｎに与え得る。各復調器８５４は、それぞれの受信信号を調整（たとえば、フィルタ処理、増幅、ダウンコンバート、およびデジタル化）して、入力サンプルを取得し得る。各復調器８５４は、（たとえば、ＯＦＤＭなどのために）入力サンプルをさらに処理して、受信シンボルを取得し得る。ＭＩＭＯ検出器８５６は、すべての復調器８５４−ａ〜８５４−ｎから受信シンボルを取得し、適用可能な場合は受信シンボルに対してＭＩＭＯ検出を実行し、検出されたシンボルを与え得る。受信プロセッサ８５８は、検出されたシンボルを処理（たとえば、復調、デインターリーブ、および復号）して、ＵＥ１１５−ｅについて復号されたデータをデータ出力に与え、復号された制御情報をプロセッサ８８０、またはメモリ８８２に与え得る。いくつかの実施形態では、プロセッサ８８０は、本明細書で説明されるシステムおよび方法を実装するために共通基準信号処理モジュール３６０−ｃを含み得る。共通基準信号処理モジュール３６０−ｃは、図３、図５、および／または図７のモジュール３６０の例であり得る。
【００７４】
[0088]アップリンク上で、ＵＥ１１５−ｅにおいて、送信プロセッサ８６４が、データソースからデータを受信し、処理し得る。送信プロセッサ８６４はまた、基準信号のための基準シンボルを生成し得る。送信プロセッサ８６４からのシンボルは、適用可能な場合は送信ＭＩＭＯプロセッサ８６６によってプリコーディングされ、復調器８５４−ａ〜８５４−ｎによって（たとえば、ＳＣ−ＦＤＭＡなどのために）さらに処理され、ｅＮＢ１０５−ｅから受信された送信パラメータに従ってｅＮＢ１０５−ｅに送信され得る。ｅＮＢ１０５−ｅにおいて、ＵＥ１１５−ｅからのアップリンク信号は、アンテナ８３４によって受信され、復調器８３２によって処理され、適用可能な場合はＭＩＭＯ検出器８３６によって検出され、受信プロセッサによってさらに処理され得る。受信プロセッサ８３８は、復号されたデータをデータ出力とプロセッサ８４０とに与え得る。ＵＥ１１５−ｅの構成要素は、ハードウェア中の適用可能な機能の一部または全部を実行するように適応された１つまたは複数の特定用途向け集積回路（ＡＳＩＣ）を用いて個別にまたは集合的に実装され得る。言及したモジュールの各々は、システム８００の動作に関係する１つまたは複数の機能を実行するための手段であり得る。
【００７５】
[0089]同様に、ｅＮＢ１０５−ｅの構成要素は、ハードウェア中の適用可能な機能の一部または全部を実行するように適応された１つまたは複数の特定用途向け集積回路（ＡＳＩＣ）を用いて個別にまたは集合的に実装され得る。言及した構成要素の各々は、システム８００の動作に関係する１つまたは複数の機能を実行するための手段であり得る。
【００７６】
[0090]図９Ａは、ワイヤレス通信のための方法９００−ａの一実施形態を示すフローチャートである。明確にするために、方法９００−ａについて、図１、図２、図３、図４、および／または図８の基地局１０５に関して以下で説明する。一実装形態では、図３、図４、および／または図８の共通基準信号管理モジュール３１０は、以下で説明する機能を実施するために基地局１０５の機能要素を制御するためのコードの１つまたは複数のセットを実行し得る。
【００７７】
[0091]ブロック９０５において、第１の共通基準信号（ＣＲＳ）送信と第２のＣＲＳ送信との間で使用する位相不連続性が決定され得る。ブロック９１０において、位相連続性を維持することなしに第１のＣＲＳ送信と第２のＣＲＳ送信とが送信され得る。場合によっては、これは、位相不連続性を使用して複数の共通基準信号を送信することを含み得る。
【００７８】
[0092]方法９００−ａはまた、決定された位相不連続性が使用されるべきであるときなど、その位相連続性が仮定され得ないことを示すインジケータを１つまたは複数のユーザ機器（ＵＥ）に送信することを含み得る。最初のインジケータは、位相連続性を維持することなしの第１のＣＲＳ送信と第２のＣＲＳ送信との前に、１つまたは複数のＵＥに送信され得る。場合によっては、これは、位相不連続性を使用して複数の共通基準信号を送信することを含み得る。
【００７９】
[0093]場合によっては、第３のＣＲＳ送信と第４のＣＲＳ送信との間で連続ＣＲＳ位相が使用されるべきであることが決定され得る。第３のＣＲＳ送信と第４のＣＲＳ送信とは、連続ＣＲＳ位相を使用して送信され得る。位相連続性が仮定され得ることを示すインジケータが１つまたは複数のユーザ機器（ＵＥ）に送信され得る。場合によっては、インジケータは、決定された位相不連続性が中断されるべきことを示し得る。
【００８０】
[0094]方法９００−ａのいくつかの実施形態は、第３のＣＲＳ送信と第４のＣＲＳ送信とがコヒーレントに結合され得ることを示すインジケータを１つまたは複数のユーザ機器（ＵＥ）に送信することを含む。
【００８１】
[0095]方法９００−ａでは、位相不連続性は、場合によっては第１のフレームと第２のフレームとの間で生じ得る。場合によっては、第１のＣＲＳ送信と第２のＣＲＳ送信とが第１のフレーム内で生じ得る。位相不連続性は、位相ランプアップを使用して導入され得る。場合によっては、位相不連続性は、時間においてまたは周波数においてＣＲＳ位相を変化させ得るサイクル遅延ダイバーシティ（ＣＤＤ）プロセスを使用して導入され得る。
【００８２】
[0096]方法９００−ａのために利用されるワイヤレス通信システムは、第１のＣＲＳ送信と第２のＣＲＳ送信とのためにニューキャリアタイプ（ＮＣＴ）を使用し得る。
【００８３】
[0097]したがって、方法９００−ａは、ワイヤレス通信システムにおいて共通基準信号を送信することを提供し得る。方法９００−ａは一実装形態にすぎないこと、および方法９００−ａの動作は、他の実装形態が可能であるように、並べ替えられるかまたは場合によっては変更され得ることに留意されたい。
【００８４】
[0098]図９Ｂは、ワイヤレス通信のための方法９００−ｂの一実施形態を示すフローチャートである。明確にするために、方法９００−ｂについて、図１、図２、図３、図４、および／または図８の基地局１０５に関して以下で説明する。一実装形態では、図３、図４、および／または図８の共通基準信号管理モジュール３１０は、以下で説明される機能を実施するために基地局１０５の機能要素を制御するためのコードの１つまたは複数のセットを実行し得る。方法９００−ｂは、図９Ａの方法９００−ａの一例であり得る。
【００８５】
[0099]ブロック９０５−ａにおいて、第１の共通基準信号（ＣＲＳ）送信と第２のＣＲＳ送信との間で使用する位相不連続性が決定され得る。ブロック９１０−ａにおいて、位相連続性を維持することなしに第１のＣＲＳ送信と第２のＣＲＳ送信とが送信され得る。ブロック９１５において、第３のＣＲＳ送信と第４のＣＲＳ送信との間で連続ＣＲＳ位相が使用されるべきであることが決定され得る。ブロック９２０において、連続ＣＲＳ位相を使用して、第３のＣＲＳ送信と第４のＣＲＳ送信とが送信され得る。ブロック９２５において、位相連続性が仮定され得ることを示すインジケータが１つまたは複数のユーザ機器（ＵＥ）に送信され得る。
【００８６】
[00100]図１０Ａは、ワイヤレス通信のための方法１０００−ａの一実施形態を示すフローチャートである。明確にするために、方法１０００−ａについて、図１、図２、図３、図５、および／または図８のＵＥ１１５に関して以下で説明する。一実装形態では、図３、図５、および／または図８の共通基準信号処理モジュール３６０は、以下で説明される機能を実施するためにＵＥ１１５の機能要素を制御するためのコードの１つまたは複数のセットを実行し得る。
【００８７】
[00101]ブロック１００５において、第１の共通基準信号（ＣＲＳ）送信と第２のＣＲＳ送信との間で位相連続性が仮定され得ないと決定され得る。追加または代替として、位相不連続性が使用されると決定され得る。ブロック１０１０において、位相連続性を維持することなしに第１のＣＲＳ送信と第２のＣＲＳ送信とが受信され得る。場合によっては、これは位相不連続性の使用を伴い得る。
【００８８】
[00102]第１のＣＲＳ送信と第２のＣＲＳ送信との間で位相連続性が仮定され得ないと決定することは、位相連続性が仮定され得ないことを示すインジケータを受信することを含み得る。これは、位相不連続性が使用されるべきであることを示すインジケータを受信することを伴い得る。場合によっては、連続ＣＲＳ位相を使用する第３のＣＲＳ送信と第４のＣＲＳ送信とが受信され得る。位相連続性が仮定され得ること、または決定された位相不連続性が中断されたことを示すインジケータが受信され得る。方法１０００−ａはまた、第３のＣＲＳ送信と第４のＣＲＳ送信とがコヒーレントに結合され得るというインジケータを受信することを含み得る。
【００８９】
[00103]方法１０００−ａでは、位相不連続性は第１のフレームと第２のフレームとの間で生じ得る。場合によっては、第１のＣＲＳ送信と第２のＣＲＳ送信とが第１のフレーム内で生じ得る。
【００９０】
[00104]方法１０００−ａのためのワイヤレス通信システムは、第１のＣＲＳ送信と第２のＣＲＳ送信とに関してニューキャリアタイプ（ＮＣＴ）を使用し得る。
【００９１】
[00105]したがって、方法１０００−ａは、ワイヤレス通信システムにおいて共通基準信号を受信することを提供し得る。方法１０００−ａは一実装形態にすぎないこと、および方法１０００−ａの動作は、他の実装形態が可能であるように、並べ替えられるかまたは場合によっては変更され得ることに留意されたい。
【００９２】
[00106]図１０Ｂは、ワイヤレス通信のための方法１０００−ｂの一実施形態を示すフローチャートである。明確にするために、方法１０００−ｂについて、図１、図２、図３、図５、および／または図８のＵＥ１１５に関して以下で説明する。一実装形態では、図３、図５、および／または図８の共通基準信号処理モジュール３６０は、以下で説明する機能を実施するためにＵＥ１１５の機能要素を制御するためのコードの１つまたは複数のセットを実行し得る。方法１０００−ｂは、図１０Ａの方法１０００−ａの一例であり得る。
【００９３】
[00107]ブロック１０１５において、位相連続性が仮定され得ないことを示すインジケータが受信され得る。これは、位相不連続性が使用されるべきであることを示すインジケータを受信することを伴い得る。ブロック１００５−ａにおいて、第１の共通基準信号（ＣＲＳ）送信と第２のＣＲＳ送信との間で位相連続性が使用されると仮定され得ないことが決定され得、これは、受信されたインジケータを利用することを伴い得る。詳細には、位相不連続性が使用され得る。ブロック１０１０−ａにおいて、位相連続性を維持することなしに第１のＣＲＳ送信と第２のＣＲＳ送信とが受信され得る。場合によっては、これは位相不連続性の使用を伴い得る。ブロック１０２０において、連続ＣＲＳ位相を使用する第３のＣＲＳ送信と第４のＣＲＳ送信とが受信され得る。ブロック１０２５において、位相連続性が仮定され得ること、または決定された位相不連続性が中断されたことを示すインジケータが受信され得る。
【００９４】
[00108]図１１Ａは、ワイヤレス通信のための方法１１００−ａの一実施形態を示すフローチャートである。明確にするために、方法１１００−ａについて、図１、図２、図３、図７、および／または図８のＵＥ１１５あるいは図１、図２、図３、図６、および／または図８の基地局１０５に関して以下で説明する。一実装形態では、図３、図７、および／または図８の共通基準信号処理モジュール３６０あるいは図３、図６、および／または図８の共通基準信号管理モジュール３１０は、以下で説明する機能を実施するためにＵＥ１１５および／または基地局１０５の機能要素を制御するためのコードの１つまたは複数のセットを実行し得る。
【００９５】
[00109]ブロック１１０５において、識別された基準信号シーケンス周期に関して、拡張された共通基準信号シーケンス周期が決定され得る。ブロック１１１０において、拡張された共通基準信号シーケンス周期が利用され得る。方法１１００−ａのワイヤレス通信システムは、ＣＲＳシーケンス初期化に関してニューキャリアタイプ（ＮＣＴ）を使用し得る。
【００９６】
[00110]方法１１００−ａは、拡張された共通基準信号シーケンス周期に関して、拡張されたＣＲＳシーケンス境界をユーザ機器（ＵＥ）において決定することを含み得る。拡張された共通基準信号シーケンス周期に関して、拡張されたＣＲＳシーケンス境界をＵＥにおいて決定することは、拡張されたＣＲＳシーケンス境界を決定するために、１次同期信号（ＰＳＳ）と２次同期信号（ＳＳＳ）と物理ブロードキャストチャネル（ＰＢＣＨ）とを検出することを含み得る。拡張されたＣＲＳシーケンス境界を決定した後に、測定のための１つまたは複数のＣＲＳシーケンスが導出され得る。
【００９７】
[00111]拡張された共通基準信号シーケンス周期に関してＣＲＳシーケンス境界をＵＥにおいて決定することは、１次同期信号（ＰＳＳ）もしくは２次同期信号（ＳＳＳ）を検出すること、および／または測定のための複数のＣＲＳシーケンス仮定を利用することを含み得る。
【００９８】
[00112]いくつかの実施形態では、方法１１００−ａは、ＵＥにおいてＣＲＳ構成を受信することを含み得る。ＣＲＳ構成はシステム帯域幅に依存し得る。
【００９９】
[00113]基地局を利用して実装される方法１１００−ａのいくつかの実施形態は、１つまたは複数のＵＥが、拡張されたＣＲＳシーケンス境界を決定することを容易にするために、１次同期信号（ＰＳＳ）と２次同期信号（ＳＳＳ）と物理ブロードキャストチャネル（ＰＢＣＨ）とを送信することを含み得る。場合によっては、ＣＲＳ構成が１つまたは複数のＵＥに送信され得る。ＣＲＳ構成はシステム帯域幅に依存し得る。
【０１００】
[00114]したがって、方法１１００−ａは、ワイヤレス通信システムにおいて共通基準信号を送信および／または受信することを提供し得る。方法１１００−ａは一実装形態にすぎないこと、および方法１１００−ａの動作は、他の実装形態が可能であるように、並べ替えられるかまたは場合によっては変更され得ることに留意されたい。
【０１０１】
[00115]図１１Ｂは、ワイヤレス通信のための方法１１００−ｂの一実施形態を示すフローチャートである。明確にするために、方法１１００−ｂについて、図１、図２、図３、図７、および／または図８のＵＥ１１５に関して以下で説明する。一実装形態では、図３、図７、および／または図８の共通基準信号処理モジュール３６０は、以下で説明される機能を実施するためにＵＥ１１５の機能要素を制御するためのコードの１つまたは複数のセットを実行し得る。方法１１００−ｂは、図１１Ａの方法１１００−ａの一例であり得る。
【０１０２】
[00116]ブロック１１０５−ａにおいて、識別された基準信号シーケンス周期に関して、拡張された共通基準信号シーケンス周期が決定され得る。ブロック１１１０−ａにおいて、拡張された共通基準信号シーケンス周期が利用され得る。ブロック１１１５において、拡張された共通基準信号シーケンス周期に関して、拡張されたＣＲＳシーケンス境界が決定され得る。ブロック１１２０において、拡張されたＣＲＳシーケンス境界を決定した後に、測定のための１つまたは複数のＣＲＳシーケンスが導出され得る。
【０１０３】
[00117]図１１Ｃは、ワイヤレス通信のための方法１１００−ｃの一実施形態を示すフローチャートである。明確にするために、方法１１００−ｃについて、図１、図２、図３、図６、および／または図８の基地局１０５に関して以下で説明する。一実装形態では、図３、図６、および／または図８の共通基準信号管理モジュール３１０は、以下で説明される機能を実施するために基地局１０５の機能要素を制御するためのコードの１つまたは複数のセットを実行し得る。方法１１００−ｃは、図１１Ａの方法１１００−ａの一例であり得る。
【０１０４】
[00118]ブロック１１０５−ｂにおいて、識別された基準信号シーケンス周期に関して、拡張された共通基準信号シーケンス周期が決定され得る。ブロック１１１０−ｂにおいて、拡張された共通基準信号シーケンス周期が利用され得る。ブロック１１２５において、１つまたは複数のＵＥにＣＲＳ構成が送信され得る。ＣＲＳ構成はシステム帯域幅に依存し得る。
【０１０５】
[00119]追加の実施形態では、ワイヤレス通信システムにおいて共通基準信号を送信するための方法が提供される。本方法は、第１の共通基準信号（ＣＲＳ）送信と第２のＣＲＳ送信との間で使用する位相不連続性を決定すること、および／または位相連続性を維持することなしに第１のＣＲＳ送信と第２のＣＲＳ送信とを送信することを含み得る。
【０１０６】
[00120]いくつかの構成は、位相連続性が仮定され得ないことを示すインジケータを１つまたは複数のユーザ機器（ＵＥ）に送信することを含む。インジケータは、位相連続性を維持することなしに第１のＣＲＳ送信と第２のＣＲＳ送信とが送信される前に、１つまたは複数のＵＥに送信され得る。
【０１０７】
[00121]場合によっては、本方法は、第３のＣＲＳ送信と第４のＣＲＳ送信との間で使用する連続ＣＲＳ位相を決定すること、連続ＣＲＳ位相を使用する第３のＣＲＳ送信と第４のＣＲＳ送信とを送信すること、および／または位相連続性が仮定され得ることを示すインジケータを１つまたは複数のユーザ機器（ＵＥ）に送信することを含み得る。いくつかの状況では、第３のＣＲＳ送信と第４のＣＲＳ送信とがコヒーレントに結合され得ることを示すインジケータが１つまたは複数のユーザ機器（ＵＥ）に送信され得る。
【０１０８】
[00122]他の実施形態では、ワイヤレス通信システムにおける共通基準信号（ＣＲＳ）シーケンス初期化のための方法が提供される。本方法は、識別された基準信号シーケンス周期に関して、拡張された共通基準信号シーケンス周期を決定すること、および／または拡張された共通基準信号シーケンス周期を利用することを含み得る。ワイヤレス通信システムは、ＣＲＳシーケンス初期化に関してニューキャリアタイプ（ＮＣＴ）を使用し得る。
【０１０９】
[00123]いくつかの構成は、拡張された共通基準信号シーケンス周期に関して、拡張されたＣＲＳシーケンス境界をユーザ機器（ＵＥ）において決定することを含む。拡張された共通基準信号シーケンス周期に関して、拡張されたＣＲＳシーケンス境界をＵＥにおいて決定することは、拡張されたＣＲＳシーケンス境界を決定するために、１次同期信号（ＰＳＳ）と２次同期信号（ＳＳＳ）と物理ブロードキャストチャネル（ＰＢＣＨ）とを検出することを含み得る。拡張されたＣＲＳシーケンス境界を決定した後に、測定のための１つまたは複数のＣＲＳシーケンスが導出され得る。
【０１１０】
[00124]いくつかの状況では、拡張された共通基準信号シーケンス周期に関してＣＲＳシーケンス境界をＵＥにおいて決定することは、１次同期信号（ＰＳＳ）もしくは２次同期信号（ＳＳＳ）を検出すること、および／または測定のための複数のＣＲＳシーケンス仮定を利用することを含み得る。いくつかの構成は、１つまたは複数のＵＥが、拡張されたＣＲＳシーケンス境界を決定することを容易にするために、１次同期信号（ＰＳＳ）と２次同期信号（ＳＳＳ）と物理ブロードキャストチャネル（ＰＢＣＨ）とを送信することを含む。
【０１１１】
[00125]いくつかの構成は、ＵＥにおいてＣＲＳ構成を受信することを含む。ＣＲＳ構成はシステム帯域幅に依存し得る。いくつかの構成は、１つまたは複数のＵＥにＣＲＳ構成を送信することを含み、ここで、ＣＲＳ構成はシステム帯域幅に依存し得る。
【０１１２】
[00126]いくつかの実施形態では、共通基準信号を送信するためのシステムが提供される。本システムは、第１の共通基準信号（ＣＲＳ）送信と第２のＣＲＳ送信との間で使用する位相不連続性を決定するための手段、および／または位相連続性を維持することなしに第１のＣＲＳ送信と第２のＣＲＳ送信とを送信するための手段を含み得る。
【０１１３】
[00127]本システムは、位相連続性が仮定され得ないことを示すインジケータを１つまたは複数のユーザ機器（ＵＥ）に送信するための手段をさらに含み得る。インジケータは、位相連続性を維持することなしに第１のＣＲＳ送信と第２のＣＲＳ送信とが送信される前に、１つまたは複数のＵＥに送信され得る。場合によっては、本システムは、第３のＣＲＳ送信と第４のＣＲＳ送信との間で使用する連続ＣＲＳ位相を決定するための手段、連続ＣＲＳ位相を使用する第３のＣＲＳ送信と第４のＣＲＳ送信とを送信するための手段、および／または位相連続性が仮定され得ることを示すインジケータを１つまたは複数のユーザ機器（ＵＥ）に送信するための手段を含み得る。いくつかの構成では、本システムは、第３のＣＲＳ送信と第４のＣＲＳ送信とがコヒーレントに結合され得ることを示すインジケータを１つまたは複数のユーザ機器（ＵＥ）に送信するための手段を含み得る。
【０１１４】
[00128]本システムでは、位相不連続性は第１のフレームと第２のフレームとの間で生じ得る。場合によっては、第１のＣＲＳ送信と第２のＣＲＳ送信とが第１のフレーム内で生じ得る。位相不連続性は、位相ランプアップを使用して導入され得る。位相不連続性は、時間においてまたは周波数においてＣＲＳ位相を変化させるサイクル遅延ダイバーシティ（ＣＤＤ）プロセスを使用して導入され得る。本システムは、第１のＣＲＳ送信と第２のＣＲＳ送信とについてニューキャリアタイプ（ＮＣＴ）を使用し得る。
【０１１５】
[00129]いくつかの実施形態では、共通基準信号（ＣＲＳ）シーケンス初期化のためのシステムが提供される。本システムは、識別された基準信号シーケンス周期に関して、拡張された共通基準信号シーケンス周期を決定するための手段、および／または拡張された共通基準信号シーケンス周期を利用するための手段を含み得る。本システムは、ＣＲＳシーケンス初期化に関してニューキャリアタイプ（ＮＣＴ）を使用し得る。
【０１１６】
[00130]本システムは、拡張された共通基準信号シーケンス周期に関して、拡張されたＣＲＳシーケンス境界をユーザ機器（ＵＥ）において決定するための手段を含み得る。拡張された共通基準信号シーケンス周期に関して、拡張されたＣＲＳシーケンス境界をＵＥにおいて決定するための手段は、拡張されたＣＲＳシーケンス境界を決定するために、１次同期信号（ＰＳＳ）と２次同期信号（ＳＳＳ）と物理ブロードキャストチャネル（ＰＢＣＨ）とを検出するための手段を含み得る。本システムは、拡張されたＣＲＳシーケンス境界を決定した後に、測定のための１つまたは複数のＣＲＳシーケンスを導出するための手段をさらに含み得る。拡張された共通基準信号シーケンス周期に関して、ＣＲＳシーケンス境界をＵＥにおいて決定するための手段は、１次同期信号（ＰＳＳ）もしくは２次同期信号（ＳＳＳ）を検出するための手段、および／または測定のための複数のＣＲＳシーケンス仮定を利用するための手段を含み得る。いくつかの構成は、１つまたは複数のＵＥが、拡張されたＣＲＳシーケンス境界を決定することを容易にするために、１次同期信号（ＰＳＳ）と２次同期信号（ＳＳＳ）と物理ブロードキャストチャネル（ＰＢＣＨ）とを送信するための手段を含み得る。
【０１１７】
[00131]いくつかの構成は、ＵＥにおいてＣＲＳ構成を受信するための手段を含み得る。ＣＲＳ構成はシステム帯域幅に依存し得る。いくつかの構成は、１つまたは複数のＵＥにＣＲＳ構成を送信するための手段を含み、ここで、ＣＲＳ構成はシステム帯域幅に依存し得る。
【０１１８】
[00132]いくつかの実施形態では、非一時的コンピュータ可読媒体を含み得るワイヤレス通信システムのためのコンピュータプログラム製品が提供され、非一時的コンピュータ可読媒体は、第１の共通基準信号（ＣＲＳ）送信と第２のＣＲＳ送信との間で使用する位相不連続性を決定するためのコード、および／または位相連続性を維持することなしに第１のＣＲＳ送信と第２のＣＲＳ送信とを送信するためのコードを含み得る。
【０１１９】
[00133]いくつかの実施形態では、非一時的コンピュータ可読媒体を含み得るワイヤレス通信システムのためのコンピュータプログラム製品が提供され、非一時的コンピュータ可読媒体は、識別された基準信号シーケンス周期に関して、拡張された共通基準信号シーケンス周期を決定するためのコード、および／または拡張された共通基準信号シーケンス周期を利用するためのコードを含み得る。
【０１２０】
[00134]いくつかの実施形態では、プロセッサを含み得るワイヤレス通信デバイスが提供され、プロセッサは、識別された基準信号シーケンス周期に関して、拡張された共通基準信号シーケンス周期を決定すること、および／または拡張された共通基準信号シーケンス周期を利用することを行うように構成され得る。
【０１２１】
[00135]いくつかの構成では、第１のフレームと第２のフレームとの間で位相不連続性が生じ得る。第１のＣＲＳ送信と第２のＣＲＳ送信とが第１のフレーム内で生じ得る。位相不連続性は、位相ランプアップを使用して導入され得る。位相不連続性は、時間においてまたは周波数においてＣＲＳ位相を変化させるサイクル遅延ダイバーシティ（ＣＤＤ）プロセスを使用して導入され得る。本方法は、場合によっては、第１のＣＲＳ送信と第２のＣＲＳ送信とについてニューキャリアタイプ（ＮＣＴ）を使用するワイヤレス通信システムで実装され得る。
【０１２２】
[00136]添付の図面に関して上記に記載した詳細な説明は、例示的な実施形態について説明しており、実装され得るまたは特許請求の範囲内に入る実施形態のみを表すものではない。詳細な説明は、説明した技法の理解を提供する目的で、具体的な詳細を含む。しかしながら、これらの技法は、これらの具体的な詳細なしに実施され得る。いくつかの事例では、説明した実施形態の概念を不明瞭にしないように、よく知られている構造およびデバイスがブロック図の形態で示される。
【０１２３】
[00137]本明細書で説明した技法は、ＣＤＭＡ、ＴＤＭＡ、ＦＤＭＡ、ＯＦＤＭＡ、ＳＣ−ＦＤＭＡ、および他のシステムなど、様々なワイヤレス通信システムに使用され得る。「システム」および「ネットワーク」という用語は、しばしば互換的に使用される。ＣＤＭＡシステムは、ＣＤＭＡ２０００、ユニバーサル地上無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイル通信システム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上記のシステムおよび無線技術、ならびに他のシステムおよび無線技術に使用され得る。ただし、上記の説明では、例としてＬＴＥシステムについて説明し、以下の説明の大部分においてＬＴＥ用語が使用されるが、本技法はＬＴＥ適用例以外に適用可能である。
【０１２４】
[00138]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２５】
[00139]本明細書の開示に関連して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１２６】
[00140]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサによって実行されるソフトウェア、ハードウェア、ファームウェア、ハードワイヤリング、またはこれらのいずれかの組合せを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、「のうちの少なくとも１つ」で終わる項目のリスト中で使用される「または」は、たとえば、「Ａ、Ｂ、またはＣのうちの少なくとも１つ」のリストが、ＡまたはＢまたはＣまたはＡＢまたはＡＣまたはＢＣまたはＡＢＣ（すなわち、ＡおよびＢおよびＣ）を意味するような、選言的リスト（a disjunctive list）を示す。
【０１２７】
[00141]コンピュータ可読媒体は、ある場所から別の場所へのコンピュータプログラムの転送を可能にする任意の媒体を含む通信媒体と、コンピュータ記憶媒体との両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され得、汎用または専用コンピュータあるいは汎用または専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、一方、ディスク（disc）は、データをレーザーで光学的に再生する。上記の組合せも、コンピュータ可読媒体の範囲内に含まれる。
【０１２８】
[00142]本開示についての以上の説明は、当業者が本開示を作成または使用することができるように提供される。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及した例についての選好を示唆せず、または必要としない。したがって、本開示は、本明細書で説明した例および設計に限定されるべきでなく、本明細書で開示する原理および新規の特徴に合致する最も広い範囲を与えられるべきである。
【図１】
2016506216.tif 000003
【図２】
2016506216.tif 000004
【図３】
2016506216.tif 000005
【図４】
2016506216.tif 000006
【図５】
2016506216.tif 000007
【図６】
2016506216.tif 000008
【図７】
2016506216.tif 000009
【図８】
2016506216.tif 000010
【図９Ａ】
2016506216.tif 000011
【図９Ｂ】
2016506216.tif 000012
【図１０Ａ】
2016506216.tif 000013
【図１０Ｂ】
2016506216.tif 000014
【図１１Ａ】
2016506216.tif 000015
【図１１Ｂ】
2016506216.tif 000016
【図１１Ｃ】
2016506216.tif 000017
【国際調査報告】
2016506216.tif 000018
2016506216.tif 000019
2016506216.tif 000020